(57)【要約】      （修正有）【課題】包装紙を取り替えるだけで種類の異なる包装体を容易に得ることができる包装体を提供する。【解決手段】包装体Ｐは、外形が略直方体形状であって、上面が開口した開口部１ａを有し、内部が凹状となって、内容物を収納する収納部１と、開口部１ａを開閉する覆い体２と、覆い体２を覆い、デザインが施された矩形形状の包装紙４を有し、この包装紙４の短い側の一方の端部と他方の端部はそれぞれ折り返され、包装紙４の一方の端部の折り返し部位４Ｘを覆い体開口部２１の縁部２１Ｘに、包装紙４の他方の端部の折り返し部位４Ｙを覆い体底面２０の縁部２０Ｙに、それぞれ係止させるものである。【選択図】図３
2011063299.tif 000002
【特許請求の範囲】
【請求項１】
外形が略直方体形状であって、上面が開口した開口部を有し、内部が凹状となって、内容物を収納する収納部とを備え、
この収納部の外形は、底面と、この底面より立設すると共に、時計回りに、順次、第１の面、第２の面、第３の面、第４の面で構成され、
前記第１の面の一方の端部は、前記第４の面の一方の端部を超えた円弧状の第１の円弧状部を備え、
前記第３の面の一方の端部は、前記第４の面の他方の端部を超えた円弧状の第２の円弧状部を備え、この第２の円弧状部と前記第１の円弧状部とは、対向する位置にあり、
前記収納部に接着され、前記底面、前記第４の面及び前記開口部を覆うと共に、前記開口部を開閉する覆い体を備え、
この覆い体の前記底面に対応する部位は覆い体底面で、該覆い体底面は前記底面より大きく、
前記覆い体の前記第４の面に対応する部位は覆い体第４の面で、該覆い体第４の面は前記第１の円弧状部及び前記第２の円弧状部の外周に当接して曲面を形成し、
前記覆い体の前記開口部に対応する部位は覆い体開口部で、該覆い体開口部は前記開口部より大きく、
前記覆い体を覆い、デザインが施された矩形形状の包装紙を有し、該包装紙の短い側の一方の端部と他方の端部はそれぞれ折り返され、前記包装紙の一方の端部の折り返し部位を前記覆い体開口部の縁部に、前記包装紙の他方の端部の折り返し部位を前記覆い体底面の縁部に、それぞれ係止させる
ことを特徴とする包装体。
【請求項２】
包装紙の覆い体底面に対応する部位は包装紙底面であり、
前記包装紙の覆い体第４の面に対応する部位は包装紙第４の面であり、
前記包装紙の覆い体開口部に対応する部位は包装紙開口部であり、
前記包装紙底面、前記包装紙第４の面及び前記包装紙開口部に当接して前記包装紙を横断すると共に、幅より長手方向に長い帯状体を環状に形成した環状体で、覆い体による収納部の開口部の覆いを保持するようにした
ことを特徴とする請求項１記載の包装体。
【請求項３】
外形が略直方体形状であって、上面が開口した開口部を有し、内部が凹状となって、内容物を収納する収納部とを備え、
この収納部の外形は、底面と、この底面より立設すると共に、時計回りに、順次、第１の面、第２の面、第３の面、第４の面で構成され、
前記第１の面の一方の端部は、前記第４の面の一方の端部を超えた円弧状の第１の円弧状部を備え、
前記第３の面の一方の端部は、前記第４の面の他方の端部を超えた円弧状の第２の円弧状部を備え、この第２の円弧状部と前記第１の円弧状部とは、対向する位置にあり、
前記収納部に接着され、前記底面、前記第４の面及び前記開口部を覆うと共に、前記開口部を開閉する覆い体を備え、
この覆い体の前記底面に対応する部位は覆い体底面で、該覆い体底面は前記底面より大きいものであり、
前記覆い体の前記第４の面に対応する部位は覆い体第４の面で、該覆い体第４の面は前記第１の円弧状部及び前記第２の円弧状部の外周に当接して曲面を形成し、
前記覆い体の前記開口部に対応する部位は覆い体開口部で、該覆い体開口部は前記開口部より大きいものであり、
前記収納部と前記覆い体を共用して、種類の異なる包装紙で前記覆い体を覆う包装体の包装方法であって、
前記包装紙は、前記覆い体を覆い、デザインが施された矩形形状であって、該包装紙の短い側の一方の端部と他方の端部はそれぞれ折り返され、前記包装紙の一方の端部の折り返し部位を前記覆い体開口部の縁部に、前記包装紙の他方の端部の折り返し部位を前記覆い体底面の縁部に、それぞれ係止させる
ことを特徴とする包装体の包装方法。
【発明の詳細な説明】
【技術分野】
【０００１】
本発明は、包装体及び包装体の包装方法に係り、特に、包装紙を取り替えるだけで種類の異なる包装体を容易に得ることができる包装体及び包装体の包装方法に関する。
【背景技術】
【０００２】
従来、ブック形状の包装体がある（例えば、特許文献１参照）。
これは、容器本体の開口部を介して内容物を出し入れし、外装体で容器本体の開口部を開閉するようにしている。
【先行技術文献】
【特許文献】
【０００３】
【特許文献１】実公平３−５６５０１号公報
【発明の概要】
【発明が解決しようとする課題】
【０００４】
しかしながら、上述のブック形状の包装体にあっては、例えば、デザインの異なる包装体を複数、製造する場合、外装体毎にデザインを印刷しなければならないと共に、該包装体が不要になると、該包装体全体を破棄しなければならないという問題点があった。
【０００５】
本発明は、上記の問題点を除去するようにした包装体及び包装体の包装方法を提供することを目的とする。
【課題を解決するための手段】
【０００６】
請求項１記載の包装体は、外形が略直方体形状であって、上面が開口した開口部を有し、内部が凹状となって、内容物を収納する収納部とを備え、この収納部の外形は、底面と、この底面より立設すると共に、時計回りに、順次、第１の面、第２の面、第３の面、第４の面で構成され、前記第１の面の一方の端部は、前記第４の面の一方の端部を超えた円弧状の第１の円弧状部を備え、前記第３の面の一方の端部は、前記第４の面の他方の端部を超えた円弧状の第２の円弧状部を備え、この第２の円弧状部と前記第１の円弧状部とは、対向する位置にあり、前記収納部に接着され、前記底面、前記第４の面及び前記開口部を覆うと共に、前記開口部を開閉する覆い体を備え、この覆い体の前記底面に対応する部位は覆い体底面で、該覆い体底面は前記底面より大きく、前記覆い体の前記第４の面に対応する部位は覆い体第４の面で、該覆い体第４の面は前記第１の円弧状部及び前記第２の円弧状部の外周に当接して曲面を形成し、前記覆い体の前記開口部に対応する部位は覆い体開口部で、該覆い体開口部は前記開口部より大きく、前記覆い体を覆い、デザインが施された矩形形状の包装紙を有し、該包装紙の短い側の一方の端部と他方の端部はそれぞれ折り返され、前記包装紙の一方の端部の折り返し部位を前記覆い体開口部の縁部に、前記包装紙の他方の端部の折り返し部位を前記覆い体底面の縁部に、それぞれ係止させるものである。
【０００７】
また、請求項２記載の包装体は、請求項１記載の包装体において、包装紙の覆い体底面に対応する部位は包装紙底面であり、前記包装紙の覆い体第４の面に対応する部位は包装紙第４の面であり、前記包装紙の覆い体開口部に対応する部位は包装紙開口部であり、前記包装紙底面、前記包装紙第４の面及び前記包装紙開口部に当接して前記包装紙を横断すると共に、幅より長手方向に長い帯状体を環状に形成した環状体で、覆い体による収納部の開口部の覆いを保持するようにしたものである。
【０００８】
また、請求項３記載の包装体の包装方法は、外形が略直方体形状であって、上面が開口した開口部を有し、内部が凹状となって、内容物を収納する収納部とを備え、この収納部の外形は、底面と、この底面より立設すると共に、時計回りに、順次、第１の面、第２の面、第３の面、第４の面で構成され、前記第１の面の一方の端部は、前記第４の面の一方の端部を超えた円弧状の第１の円弧状部を備え、前記第３の面の一方の端部は、前記第４の面の他方の端部を超えた円弧状の第２の円弧状部を備え、この第２の円弧状部と前記第１の円弧状部とは、対向する位置にあり、前記収納部に接着され、前記底面、前記第４の面及び前記開口部を覆うと共に、前記開口部を開閉する覆い体を備え、この覆い体の前記底面に対応する部位は覆い体底面で、該覆い体底面は前記底面より大きいものであり、前記覆い体の前記第４の面に対応する部位は覆い体第４の面で、該覆い体第４の面は前記第１の円弧状部及び前記第２の円弧状部の外周に当接して曲面を形成し、前記覆い体の前記開口部に対応する部位は覆い体開口部で、該覆い体開口部は前記開口部より大きいものであり、前記収納部と前記覆い体を共用して、種類の異なる包装紙で前記覆い体を覆う包装体の包装方法であって、前記包装紙は、前記覆い体を覆い、デザインが施された矩形形状であって、該包装紙の短い側の一方の端部と他方の端部はそれぞれ折り返され、前記包装紙の一方の端部の折り返し部位を前記覆い体開口部の縁部に、前記包装紙の他方の端部の折り返し部位を前記覆い体底面の縁部に、それぞれ係止させるものである。
【発明の効果】
【０００９】
請求項１記載の包装体によれば、覆い体と収納部とによりブック型容器を構成し、包装紙の一方の端部の折り返し部位を覆い体の覆い体開口部の縁部に、前記包装紙の他方の端部の折り返し部位を覆い体の覆い体底面の縁部に、それぞれ係止させるという簡易な手段で包装体を得ることができ、また、覆い体と収納部とで構成されたブック型容器をそのままとし、包装紙を取り替えるだけで種類の異なる包装体を容易に、しかも、経済的に包装体を得ることができる等の効果を奏する。
【００１０】
また、請求項２記載の包装体によれば、前述した請求項１記載の発明の効果に加え、幅より長手方向に長い帯状体を環状に形成した環状体が、包装紙底面、包装紙第４の面及び包装紙開口部に当接して包装紙を横断するため、覆い体による収納部の開口部の覆いを保持することができる。
【００１１】
また、請求項３記載の包装体の包装方法によれば、覆い体と収納部とによりブック型容器を構成し、包装紙の一方の端部の折り返し部位を覆い体の覆い体開口部の縁部に、前記包装紙の他方の端部の折り返し部位を覆い体の覆い体底面の縁部に、それぞれ係止させるという簡易な手段で包装体を得ることができ、また、覆い体と収納部とで構成されたブック型容器を共用することができ、包装紙を取り替えるだけで種類の異なる包装体を容易に、しかも、経済的に包装体を得ることができる等の効果を奏する。
【図面の簡単な説明】
【００１２】
【図１】図１は、本発明の一実施例の包装体の一部を破断して示す概略的一部破断斜視図である。
【図２】図２は、図１の包装体の覆い体を開いた状態の概略的断面図である。
【図３】図３は、図１の包装体の包装紙の取付状態を示す概略的断面図である。
【図４】図４は、図１の包装体を分解して示す概略的分解斜視図である。
【図５】図５は、図１の包装体の覆い体の概略的平面図である。
【図６】図６は、図５の６−６線による概略的断面図である。
【図７】図７は、図５の覆い体の形成過程を示す概略的平面図である。
【図８】図８は、図１の包装体と異なる他の実施例の包装体の概略的断面図である。
【図９】図９は、図８の包装体に環状体を取り付ける過程を示す概略的斜視図である。
【発明を実施するための形態】
【００１３】
本発明の一実施例の包装体及び包装体の包装方法を図面を参照して説明する。
図１に示すＰは包装体で、包装体Ｐは、収納部１と覆い体２とから（図４参照）、概略的に構成されている。
収納部１は、例えば、厚紙で形成され、外形が略直方体形状であって、上面が開口した開口部１ａを有し、内部が凹状となって、内容物３を収納することができるようになっている（図２及び図３参照）。
【００１４】
収納部１の外形は、底面１０と、この底面１０より立設すると共に、時計回りに、順次、第１の面１１、第２の面１２、第３の面１３、第４の面１４で構成されたもので、特異な形態は、円弧状の第１の円弧状部１１Ａ、第２の円弧状部１３Ｂである（図４参照）。
この第１の円弧状部１１Ａは、図４に示すように、第１の面１１の一方の端部に形成されたもので、第４の面１４の一方の端部１４ａを超えた円弧状の部位である。
また、第２の円弧状部１３Ｂは、第３の面１３の一方の端部に形成されたもので、第４の面１４の他方の端部１４ｂを超えた円弧状の部位である。
そして、第２の円弧状部１３Ｂと第１の円弧状部１１Ａとは、対向する位置にある（図４参照）。
【００１５】
覆い体２は、例えば、厚紙で形成され、底面１０、第４の面１４及び開口部１ａを覆うと共に、開口部１ａを開閉するものである。
覆い体２の底面１０に対応する部位は覆い体底面２０で、この覆い体底面２０は底面１０より大きく、また、覆い体２の第４の面１４に対応する部位は覆い体第４の面２４で、この覆い体第４の面２４は第１の円弧状部１１Ａ及び第２の円弧状部１３Ｂの外周に当接して曲面を形成している。また、覆い体２の開口部１ａに対応する部位は覆い体開口部２１で、この覆い体開口部２１は開口部１ａより大きく形成されている。
覆い体２は、収納部２に接着され、該接着部位は、図４に斜線で示す覆い体２の部材２０Ｃと覆い体底面２０で、覆い体底面２０の縁部２０Ｙに近い側は、非接着となっている。
覆い体底面２０は、図７に示す部材２０Ａ、２０Ｂを、覆い体開口部２１は、部材２１Ａ、２１Ｂを、それぞれ重ねると共に、該重ねた部位を接着剤で接合して形成される。
【００１６】
また、図１〜図３に示す４は、覆い体２を覆い、デザイン（例えば、うさぎ）が施された矩形形状の包装紙で、包装紙４は、包装紙４の短い側の一方の端部と他方の端部はそれぞれ折り返され、包装紙４の一方の端部の折り返し部位４Ｘを覆い体開口部２１の縁部２１Ｘに、包装紙４の他方の端部の折り返し部位４Ｙを覆い体底面２０の縁部２０Ｙに、それぞれ係止させるようにしている（図２及び図３参照）。
【００１７】
従って、上述した包装体Ｐ及び包装体の包装方法によれば、覆い体２と収納部１とによりブック型容器を構成し、包装紙４の一方の端部の折り返し部位４Ｘを覆い体２の覆い体開口部２１の縁部２１Ｘに、包装紙４の他方の端部の折り返し部位４Ｙを覆い体２の覆い体底面２０の縁部２０Ｙに、それぞれ係止させるという簡易な手段で包装体Ｐを得ることができ、また、覆い体２と収納部１とで構成されたブック型容器をそのまま、つまり、共用して、例えば、うさぎのデザインの包装紙４からハートのデザインの包装紙４（図８参照）に取り替えるだけで種類の異なる包装体Ｐを容易に、しかも、経済的に包装体Ｐを得ることができる等の効果を奏する。
【００１８】
なお、包装紙４の一方の端部の折り返し部位４Ｘを覆い体２の覆い体開口部２１の縁部２１Ｘに、包装紙４の他方の端部の折り返し部位４Ｙを覆い体２の覆い体底面２０の縁部２０Ｙに、それぞれ係止させただけでは、覆い体２による収納部１の開口部１ａの覆いの保持が不十分となる場合がある。
かかる場合の対処として、図９に示す環状体５を用いる。
即ち、包装紙４の覆い体底面２０に対応する部位は、図３に示すように、包装紙底面４Ａであり、包装紙４の覆い体第４の面２４に対応する部位は包装紙第４の面４Ｂであり、包装紙４の覆い体開口部２１に対応する部位は包装紙開口部４Ｃである。
そして、幅より長手方向に長い帯状体を環状に形成した環状体５は、図９に示すように、包装紙底面４Ａ、包装紙第４の面４Ｂ及び包装紙開口部４Ｃに当接して包装紙４を横断するように設けたものである。
その結果、環状体５によって、覆い体２による収納部１の開口部１ａの覆いを保持するようにすることができる。
【符号の説明】
【００１９】
Ｐ      包装体
１      収納部
１ａ    開口部
２      覆い体
４      包装紙
４Ｘ    折り返し部位
４Ｙ    折り返し部位
２０Ｙ  縁部
２１Ｘ  縁部
【図１】
2011063299.tif 000003
【図２】
2011063299.tif 000004
【図３】
2011063299.tif 000005
【図４】
2011063299.tif 000006
【図５】
2011063299.tif 000007
【図６】
2011063299.tif 000008
【図７】
2011063299.tif 000009
【図８】
2011063299.tif 000010
【図９】
2011063299.tif 000011